(57)【要約】【課題】浴室の壁面に結露して付着した水滴を迅速に乾燥させる。【解決手段】浴室内へ風を吹き出すための風路として、断面積の異なる複数の風路４，５を浴室乾燥機に設け、それらの複数の風路４，５を切り換えて用いる。好ましくは、浴室外から取り入れられた空気が断面積の小さい風路５を介して浴室内に吹きつけられる。好ましくは、浴室の壁面の上部または中央部へ風を吹きつけるための第２の給気口８が、浴室の洗い場へ向けて風を吹き出すための第１の給気口７とは別個に設けられ、断面積の小さい風路５が第２の給気口８まで延ばされている。つまり、断面積の小さい風路５を通過した高速の風が、第２の給気口８を介して浴室の壁面の上部または中央部に吹きつけられる。【選択図】図１
2005265203.tif 000002
【特許請求の範囲】
【請求項１】
浴室内へ風を吹き出すための風路を具備する浴室乾燥機において、断面積の異なる複数の風路を設け、それらの複数の風路を切り換えて用いることを特徴とする浴室乾燥機。
【請求項２】
浴室内へ風を吹き出すための第１の給気口と、前記第１の給気口とは別に浴室内へ風を吹き出すための第２の給気口とを設け、前記第１の給気口まで連通している風路の断面積よりも前記第２の給気口まで連通している風路の断面積を小さく設定したことを特徴とする請求項１に記載の浴室乾燥機。
【請求項３】
浴室内に供給される空気を加熱するためのヒータを前記第１の給気口に配置し、前記第２の給気口には配置しないことを特徴とする請求項２に記載の浴室乾燥機。
【請求項４】
前記第２の給気口および前記第２の給気口まで連通している風路の断面積が風の流れの下流側になるほど緩やかに小さくなるように、前記第２の給気口および前記第２の給気口まで連通している風路を形成したことを特徴とする請求項２又は３に記載の浴室乾燥機。
【請求項５】
浴室内へ風を吹き出すための風路として断面積の小さい風路が選択される場合には、浴室乾燥機内に吸い込まれた空気を浴室乾燥機外に排気するための排気口の断面積を連動して小さくすることを特徴とする請求項１〜４のいずれか一項に記載の浴室乾燥機。
【請求項６】
浴室外から取り入れられた空気が、前記第２の給気口まで連通している断面積の小さい風路および前記第２の給気口を介して浴室の壁面に吹きつけられることを特徴とする請求項２〜５のいずれか一項に記載の浴室乾燥機。
【請求項７】
浴室を乾燥させる場合には、前記第２の給気口に連通している風路を選択して、浴室の壁面に風を吹きつける工程と、前記第１の給気口に連通している風路を選択して、浴室の洗い場に向けて風を吹き出す工程とを有することを特徴とする請求項２〜６のいずれか一項に記載の浴室乾燥機。
【請求項８】
浴室内へ風を吹き出すための風路を具備する浴室乾燥機において、断面積の小さい風路と、断面積の大きい風路とを設け、前記断面積の小さい風路が選択され、浴室外から取り入れられた空気が前記断面積の小さい風路を介して浴室内に吹きつけられるモードを具備することを特徴とする浴室乾燥機。
【請求項９】
浴室内へ風を吹き出す浴室乾燥機において、異なる開口形状を有する部材を設け、前記部材により、浴室内へ吹き出される風が通過せしめられる開口を切り換えることを特徴とする浴室乾燥機。
【発明の詳細な説明】
【技術分野】
【０００１】
本発明は、浴室内へ風を吹き出すための風路を具備する浴室乾燥機に関し、特には、浴室の壁面に結露して付着した水滴を迅速に乾燥させることができる浴室乾燥機に関する。
【０００２】
更に、本発明は、浴室内へ風を吹き出す浴室乾燥機に関し、特には、浴室内へ吹き出される風の向きおよび速度を変更することができる浴室乾燥機に関する。
【背景技術】
【０００３】
例えば入浴後などのような高湿度環境下の浴室内においては、壁面に水滴が結露して付着しており、カビが発生しやすくなっている。そのため、従来から、浴室の壁面を乾燥させることが望まれている。一方で、従来の一般的な浴室乾燥機は、浴室暖房、衣類乾燥を主目的にしていたため、吹き出される温風が洗い場に向けられ、その向きが固定されていた。それゆえ、浴室の壁面を効率的に乾燥させることができなかった。
【０００４】
また、他の従来の浴室乾燥機では、温風の吹き出し範囲を広げるためにルーバーが設けられたものもあったが、浴室乾燥機内の風路上にヒータが設けられているため、そのヒータによって風の勢いが弱められてしまい、その結果、浴室内の乾燥させたいエリアまで強い風を供給することができなかった。
【０００５】
浴室が乾燥せしめられる場合に、ある従来の浴室乾燥機においては、浴室内の空気が浴室乾燥機を介して例えば屋外に排気され、その空気を補う分だけの空気がガラリを介して浴室内に吸い込まれる。また、他の従来の浴室乾燥機においては、浴室内の空気の一部が浴室乾燥機を介して例えば屋外に排気され、その空気を補う分だけの空気がガラリを介して浴室内に吸い込まれ、浴室内の空気の一部が浴室乾燥機を介して浴室内に循環される。
【０００６】
上述したように、従来の浴室乾燥機においては、高速の風を浴室の壁面に積極的に吹きつけるものがなく、それゆえ、浴室の壁面に結露して付着した水滴を迅速に乾燥させることができなかった。
【０００７】
浴室内へ風を吹き出すための風路を具備する乾燥換気装置として例えば特開平１０−２３５０８９号公報に記載されたものがあるが、その乾燥換気装置においても、高速の風が浴室の壁面に積極的に吹きつけられてはいない。そのため、その乾燥換気装置においても、浴室の壁面に結露して付着した水滴を迅速に乾燥させることができない。
【０００８】
【特許文献１】特開平１０−２３５０８９号公報
【発明の開示】
【発明が解決しようとする課題】
【０００９】
前記問題点に鑑み、本発明は、浴室の壁面に結露して付着した水滴を迅速に乾燥させることができる浴室乾燥機を提供することを目的とする。
【００１０】
更に、本発明は、浴室内へ吹き出される風の向きおよび速度を変更することができる浴室乾燥機を提供することを目的とする。
【課題を解決するための手段】
【００１１】
請求項１に記載の発明によれば、浴室内へ風を吹き出すための風路を具備する浴室乾燥機において、断面積の異なる複数の風路を設け、それらの複数の風路を切り換えて用いることを特徴とする浴室乾燥機が提供される。
【００１２】
請求項２に記載の発明によれば、浴室内へ風を吹き出すための第１の給気口と、前記第１の給気口とは別に浴室内へ風を吹き出すための第２の給気口とを設け、前記第１の給気口まで連通している風路の断面積よりも前記第２の給気口まで連通している風路の断面積を小さく設定したことを特徴とする請求項１に記載の浴室乾燥機が提供される。
【００１３】
請求項３に記載の発明によれば、浴室内に供給される空気を加熱するためのヒータを前記第１の給気口に配置し、前記第２の給気口には配置しないことを特徴とする請求項２に記載の浴室乾燥機が提供される。
【００１４】
請求項４に記載の発明によれば、前記第２の給気口および前記第２の給気口まで連通している風路の断面積が風の流れの下流側になるほど緩やかに小さくなるように、前記第２の給気口および前記第２の給気口まで連通している風路を形成したことを特徴とする請求項２又は３に記載の浴室乾燥機が提供される。
【００１５】
請求項５に記載の発明によれば、浴室内へ風を吹き出すための風路として断面積の小さい風路が選択される場合には、浴室乾燥機内に吸い込まれた空気を浴室乾燥機外に排気するための排気口の断面積を連動して小さくすることを特徴とする請求項１〜４のいずれか一項に記載の浴室乾燥機が提供される。
【００１６】
請求項６に記載の発明によれば、浴室外から取り入れられた空気が、前記第２の給気口まで連通している断面積の小さい風路および前記第２の給気口を介して浴室の壁面に吹きつけられることを特徴とする請求項２〜５のいずれか一項に記載の浴室乾燥機が提供される。
【００１７】
請求項７に記載の発明によれば、浴室を乾燥させる場合には、前記第２の給気口に連通している風路を選択して、浴室の壁面に風を吹きつける工程と、前記第１の給気口に連通している風路を選択して、浴室の洗い場に向けて風を吹き出す工程とを有することを特徴とする請求項２〜６のいずれか一項に記載の浴室乾燥機が提供される。
【００１８】
請求項８に記載の発明によれば、浴室内へ風を吹き出すための風路を具備する浴室乾燥機において、断面積の小さい風路と、断面積の大きい風路とを設け、前記断面積の小さい風路が選択され、浴室外から取り入れられた空気が前記断面積の小さい風路を介して浴室内に吹きつけられるモードを具備することを特徴とする浴室乾燥機が提供される。
【００１９】
請求項９に記載の発明によれば、浴室内へ風を吹き出す浴室乾燥機において、異なる開口形状を有する部材を設け、前記部材をにより、浴室内へ吹き出される風が通過せしめられる開口を切り換えることを特徴とする浴室乾燥機が提供される。
【発明の効果】
【００２０】
請求項１に記載の浴室乾燥機では、断面積の異なる複数の風路が切り換えて用いられる。好ましくは、浴室の壁面に結露して付着した水滴を乾燥させる時には、断面積の小さい風路が選択され、それにより、断面積の大きい風路が選択される場合よりも浴室内へ吹き出される風の速度が増加せしめられる。詳細には、ルーバーを用いることなく、風の速度が増加せしめられる。そのため、浴室の壁面に結露して付着した水滴を迅速に乾燥させることができる。更に、浴室内に吹き出される高速の風によって、浴室内の空気を攪拌することができる。
【００２１】
請求項２に記載の浴室乾燥機では、浴室内へ風を吹き出すための第１の給気口が設けられ、更に、浴室内へ風を吹き出すための第２の給気口が第１の給気口とは別に設けられ、断面積の小さい風路が第２の給気口まで延ばされている。例えば、断面積の小さい風路を通過した高速の風が、第２の給気口を介して浴室の壁面の上部または中央部に吹きつけられる。そのため、浴室の壁面の上部または中央部に結露して付着した水滴を迅速に乾燥させることができる。好ましくは、浴室の壁面における風速が０．１ｍ／ｓｅｃ以上になるように、第２の給気口まで連通している風路の断面積および第２の給気口の開口面積が設定されている。
【００２２】
請求項３に記載の浴室乾燥機では、浴室内に供給される空気を加熱するためのヒータが第２の給気口には配置されない。そのため、ヒータが第２の給気口に配置されるのに伴って第２の給気口から浴室の壁面に吹きつけられる風の速度が低下してしまうのを回避することができる。好ましくは、第２の給気口および第２の給気口まで連通している風路に整流手段が配置される。それにより、第２の給気口および第２の給気口まで連通している風路における圧力損失を低減することができる。
【００２３】
請求項４に記載の浴室乾燥機では、第２の給気口および第２の給気口まで連通している風路の断面積が風の流れの下流側になるほど緩やかに小さくなるように、第２の給気口および第２の給気口まで連通している風路が形成されている。そのため、第２の給気口から浴室の壁面に吹きつけられる風の速度を増加させつつ、第２の給気口および第２の給気口まで連通している風路における圧力損失を低減することができる。好ましくは、第２の給気口に可動ルーバーが設けられている。
【００２４】
浴室乾燥機内から浴室内へ風を吹き出すためのファンと、浴室乾燥機内に吸い込まれた空気を浴室乾燥機外に排気するためのファンとが単一のモータによって駆動される場合には、浴室乾燥機内に吸い込まれた空気を浴室乾燥機外に排気するための排気口の断面積が変更されることなく、浴室乾燥機内から浴室内へ風を吹き出すための給気口の断面積が小さくされると、浴室乾燥機内から浴室内へ吹き出される風量が圧力損失によって減少してしまう点に鑑み、請求項５に記載の浴室乾燥機では、浴室内へ風を吹き出すための風路として断面積の小さい風路が選択される場合には、浴室乾燥機内に吸い込まれた空気を浴室乾燥機外に排気するための排気口の断面積が連動して小さくされる。そのため、浴室内へ吹き出される風量が減少してしまうのを抑制することができる。
【００２５】
請求項６に記載の浴室乾燥機では、脱衣所や外気等の浴室外から取り入れられた低湿度の空気が、第２の給気口まで連通している断面積の小さい風路および第２の給気口を介して浴室の壁面に吹きつけられる。そのため、高湿度の浴室内の空気が循環せしめられて浴室の壁面に吹きつけられる場合よりも、浴室の壁面に結露して付着した水滴を迅速に乾燥させることができる。
【００２６】
請求項７に記載の浴室乾燥機では、浴室を乾燥させる場合には、第２の給気口に連通している風路を選択して、浴室の壁面に風を吹きつける工程と、第１の給気口に連通している風路を選択して、浴室の洗い場に向けて風を吹き出す工程とが設けられている。そのため、浴室全体を効率良く迅速に乾燥させることができる。
【００２７】
請求項８に記載の浴室乾燥機では、浴室外から取り入れられた低湿度の空気が断面積の小さい風路を介して浴室の例えば壁面に高速で吹きつけられるモードが設けられている。そのため、高湿度の浴室内の空気が循環せしめられ、断面積の大きい風路を介して浴室内に低速で吹き出される場合よりも、浴室の壁面に結露して付着した水滴を迅速に乾燥させることができる。更に、浴室内に吹き出される高速の風によって、浴室内の空気を攪拌することができる。
【００２８】
請求項９に記載の浴室乾燥機では、異なる開口形状を有する部材により、浴室内へ吹き出される風が通過せしめられる開口が切り換えられる。そのため、風が通過せしめられる開口を切り換えることにより、浴室内へ吹き出される風の向きおよび速度を変更することができる。詳細には、浴室内へ風を吹き出すための給気口のグリルの形状を変更する必要なく、浴室内へ吹き出される風の向きおよび速度を変更することができる。例えば断面積の小さい開口を選択し、浴室内へ吹き出される風の速度を増加させることにより、浴室の壁面に結露して付着した水滴を迅速に乾燥させることができる。更に、浴室内に吹き出される高速の風によって、浴室内の空気を攪拌することができる。好ましくは、各開口の面積は、給気口のグリルの開口面積よりも小さく設定されている。開口の切り換えは、例えば衣類乾燥時、予備暖房時、浴室乾燥時、換気時など多種の用途に応じて行われる。好ましくは、例えば複数の開口を有する巻回可能な弾性および耐熱性のあるシートをスクロールすることにより、浴室内へ吹き出される風が通過せしめられる開口が切り換えられる。
【発明を実施するための最良の形態】
【００２９】
図１は浴室の天井に取付けられた本発明の浴室乾燥機の第１の実施形態を示した図である。詳細には、図１（Ａ）は浴室の天井に取付けられた浴室乾燥機を水平方向から見た部分断面図、図１（Ｂ）は図１（Ａ）に示した浴室乾燥機を図１（Ａ）の下側から見た図である。図２は図１に示したフロントパネルを図１（Ｂ）のＡ−Ａ線で切断した断面図、図３は第１の実施形態の浴室乾燥機が適用された浴室および脱衣室（脱衣所）の斜視図、図４は図１に示した浴室乾燥機内の風路を模式的に示した図である。
【００３０】
図１〜図４において、１は浴室の空気を浴室乾燥機内に吸い込むための換気用シロッコファン、２は浴室乾燥機から浴室内に空気を給気するための給気用シロッコファンである。尚、ファン１およびファン２は、シロッコファンではなく、プロペラファン等の他のファンであってもよい。３はファン１，２を駆動するためのモータである。４は浴室内へ風を吹き出すための風路であって、断面積が大きい風路である。５は浴室内へ風を吹き出すための風路であって、断面積が小さい風路である。６は浴室内へ風を吹き出すために風路４を用いるか、あるいは、風路５を用いるかを切り換えるためのダンパである。７は風路４を通過せしめられた空気を浴室内の洗い場に向けて吹き出すための第１の給気口、８は風路５を通過せしめられた空気を浴室の壁面の上部または中央部へ吹きつけるための第２の給気口である。
【００３１】
９は第１の給気口７を介して浴室内へ吹き出される空気を加熱するためのヒータ、１０は浴室の空気を浴室乾燥機内に吸い込むための第１の吸気口である。１１は例えば屋外、脱衣室などのような浴室外の空気を浴室乾燥機内に吸い込むための第２の吸気口、１１ａは第２の吸気口１１と連通させるために脱衣室の天井面に設けられた吸気ダクトの吸気口、１２は浴室から浴室乾燥機内に吸い込まれた空気を例えば屋外のような浴室外に排気するための排気口である。１３はルーバー（図２参照）が形成されたフロントパネル、１４は第２の給気口８を介して浴室内に吹き出された空気の流れ、１５は天井、１６，１７，１８は風路を閉鎖あるいは切り換えるためのダンパである。
【００３２】
第１の実施形態の浴室乾燥機では、浴室内の空気を加熱して循環させる暖房モードが設けられている。図５は第１の実施形態の浴室乾燥機の予備暖房モードと循環モードと換気モードとを示した図である。詳細には、図５（Ａ）は予備暖房モードまたは循環モードを示した図、図５（Ｂ）は換気モードを示した図である。例えば入浴前に予備暖房モードが選択されると、予備暖房運転が開始される。詳細には、図５（Ａ）に示す位置にダンパ６，１６，１７，１８が配置され、ファン１が作動した後にヒータ９がＯＮされる。次いで、ファン１により第１の吸気口１０を介して浴室乾燥機内に吸い込まれた空気が、ダンパ１６によって案内され、ヒータ９によって加熱され、第１の給気口７を介して浴室の洗い場方向で好ましくはその洗い場方向の中央付近に向かって吹き出される。
【００３３】
更に、第１の実施形態の浴室乾燥機では、夏場などの入浴中に利用する涼風モードが設けられている。涼風モードでは、ダンパ６，１６，１７，１８、ファン１，２の作動状態は後述の図６（Ｄ），（Ｅ）と同様である。脱衣室等の浴室外の低湿度の空気をファン２によって、浴室内に供給し、高湿度の浴室内の空気をファン１によって浴室外に排気する。その際に、ヒータ９はＯＦＦ状態である。
尚、この涼風モードは、ダンパ１６を図５（Ａ）の位置とすると共に、ダンパ１７，１８を図５（Ｂ）の位置とし、ヒータ９をＯＦＦとして、ファン１を作動させて、浴室内の空気を循環させながら、浴室内の空気を排気するような構成としてもよい。
【００３４】
また、第１の実施形態の浴室乾燥機では、浴室内の空気を浴室外に排出する換気モードが設けられている。例えば入浴中に換気モードが選択されると、換気運転が開始される。詳細には、図５（Ｂ）に示す位置にダンパ６，１６，１７，１８が配置される。次いで、ファン１により第１の吸気口１０を介して浴室乾燥機内に吸い込まれた空気が、ダンパ１７，１８によって案内され、排気口１２を介して室外に排出される。
【００３５】
更に、第１の実施形態の浴室乾燥機では、浴室内に干された衣類を乾燥させるための衣類乾燥モードが設けられている。図６は第１の実施形態の浴室乾燥機の衣類乾燥モードと浴室乾燥モードとを示した図である。詳細には、図６（Ａ）は衣類乾燥モードの初期を示した図、図６（Ｂ）は衣類乾燥モードの中期を示した図、図６（Ｃ）は衣類乾燥モードの後期を示した図、図６（Ｄ）は浴室乾燥モードの初期を示した図、図６（Ｅ）は浴室乾燥モードの後期を示した図である。浴室乾燥モードとは、浴室の天井面、壁面や床面を乾燥させるモードである。衣類乾燥モードが選択されると、衣類乾燥運転が開始される。詳細には、図６（Ａ）に示す位置にダンパ６，１６，１７，１８が配置される。次いで、ファン１により浴室から第１の吸気口１０を介して浴室乾燥機内に吸い込まれた空気が、ダンパ１７，１８によって案内され、排気口１２を介して室外に排出される。同時に、ファン２により浴室外から第２の吸気口１１を介して浴室乾燥機内に吸い込まれた乾いた空気が、ダンパ６によって案内され、断面積の小さい風路５を通過せしめられる。断面積の小さい風路５を通過せしめられた空気は、その速度が増加せしめられ、第２の給気口８を介して浴室の壁面の上部または中央部へ吹きつけられる（図１（Ａ）参照）。それにより、浴室内に干された衣類の表面が乾燥せしめられる。
【００３６】
衣類乾燥運転が開始されてから所定時間が経過すると、図６（Ｂ）に示す位置にダンパ６，１８が切り換えられ、ヒータ９がＯＮされる。詳細には、排気口１２を介して室外に排出される空気量が、ダンパ１８によって絞られる。更に、ファン２により浴室外から第２の吸気口１１を介して浴室乾燥機内に吸い込まれた乾いた空気が、ダンパ６によって案内され、断面積の大きい風路４を通過せしめられる。断面積の大きい風路４を通過せしめられた空気は、ヒータ９によって加熱され、図６（Ａ）に示した場合よりも低速で第１の給気口７を介して浴室の洗い場へ向けて吹き出される。それにより、浴室内に干された衣類の内部が乾燥せしめられる。
【００３７】
図６（Ｂ）に示した状態に切り換えられてから更に所定時間が経過すると、図６（Ｃ）に示すように、ダンパ６の切り換え運転が開始される。詳細には、ダンパ６が、所定時間間隔で、図６（Ａ）に示した位置と、図６（Ｂ）に示した位置とに配置される。ダンパ６が図６（Ａ）に示した位置に配置される時にはヒータ９がＯＦＦされ、ダンパ６が図６（Ｂ）に示した位置に配置される時にはヒータ９がＯＮされる。それにより、浴室内の空気が攪拌せしめられ、厚手の衣類の内部も十分に乾燥せしめられる。
【００３８】
更に、第１の実施形態の浴室乾燥機では、入浴後の浴室を乾燥させるための浴室乾燥モードが設けられている。例えば入浴後に浴室乾燥モードが選択されると、浴室乾燥運転が開始される。詳細には、図６（Ｄ）に示す位置にダンパ６，１６，１７，１８が配置される。次いで、ファン１により浴室から第１の吸気口１０を介して浴室乾燥機内に吸い込まれた空気が、ダンパ１７，１８によって案内され、排気口１２を介して室外に排出される。同時に、ファン２により浴室外から第２の吸気口１１を介して浴室乾燥機内に吸い込まれた乾いた空気が、ダンパ６によって案内され、断面積の小さい風路５を通過せしめられる。断面積の小さい風路５を通過せしめられた空気は、その速度が増加せしめられ、第２の給気口８を介して浴室の壁面の上部または中央部へ吹きつけられる（図１（Ａ）参照）。それにより、浴室の壁面および天井付近が乾燥せしめられる。
【００３９】
浴室乾燥運転が開始されてから所定時間が経過すると、図６（Ｅ）に示す位置にダンパ６が切り換えられる。詳細には、ファン２により浴室外から第２の吸気口１１を介して浴室乾燥機内に吸い込まれた乾いた空気が、ダンパ６によって案内され、断面積の大きい風路４を通過せしめられる。断面積の大きい風路４を通過せしめられた空気は、図６（Ｄ）に示した場合よりも低速で第１の給気口７を介して浴室の洗い場へ向けて吹き出される。それにより、浴室の壁面の下部および床面が乾燥せしめられる。
【００４０】
第１の実施形態の浴室乾燥機では、図４に示したように、断面積の異なる複数の風路４，５が設けられ、図６に示したように、断面積の異なる風路４，５が切り換えて用いられる。詳細には、浴室内に干された衣類の表面を乾燥させる時（図６（Ａ）参照）、あるいは、浴室の壁面に結露して付着した水滴を乾燥させる時（図６（Ｄ）参照）には、断面積の大きい風路４ではなく、断面積の小さい風路５が選択され、それにより、断面積の大きい風路４が選択される場合よりも浴室内へ吹き出される風の速度が増加せしめられる。詳細には、例えば可動ルーバーによって風路を絞ることなく、風の速度が増加せしめられる。そのため、浴室内に干された衣類の表面を迅速に乾燥させることができ、浴室の壁面に結露して付着した水滴を迅速に乾燥させることができる。更に、浴室内に吹き出される高速の風によって、浴室内の空気を攪拌することができる。
【００４１】
また、第１の実施形態の浴室乾燥機では、図１（Ｂ）に示したように、浴室の壁面の上部または中央部へ風を吹きつけるための第２の給気口８が、浴室の洗い場へ向けて風を吹き出すための第１の給気口７とは別個に設けられ、図１（Ａ）に示したように、断面積の小さい風路５が第２の給気口８まで延ばされている。つまり、断面積の小さい風路５を通過した高速の風が、第２の給気口８を介して浴室の壁面の上部または中央部に吹きつけられる。そのため、浴室の壁面の上部または中央部に結露して付着した水滴を迅速に乾燥させることができる。好ましくは、浴室の壁面における風速が０．１ｍ／ｓｅｃ以上になるように、第２の給気口８まで連通している風路５の断面積および第２の給気口８の開口面積が設定されている。
【００４２】
更に、第１の実施形態の浴室乾燥機では、図１（Ａ）および図１（Ｂ）に示したように、浴室内に供給される空気を加熱するためのヒータ９が第２の給気口８には配置されない。そのため、ヒータが第２の給気口に配置されるのに伴って第２の給気口から浴室の壁面に吹きつけられる風の速度が低下してしまうのを回避することができる。
【００４３】
また、第１の実施形態の浴室乾燥機では、上述したように、浴室内に干された衣類の表面を乾燥させる時（図６（Ａ）参照）、あるいは、浴室の壁面に結露して付着した水滴を乾燥させる時（図６（Ｄ）参照）には、浴室外から第２の吸気口１１を介して取り入れられた低湿度の空気が、第２の給気口８まで連通している断面積の小さい風路５および第２の給気口８を介して浴室の壁面に吹きつけられる。そのため、高湿度の浴室内の空気が循環せしめられて浴室の壁面に吹きつけられる場合よりも、浴室内に干された衣類の表面を迅速に乾燥させることができ、浴室の壁面に結露して付着した水滴を迅速に乾燥させることができる。
【００４４】
更に、第１の実施形態の浴室乾燥機では、浴室を乾燥させる場合には、まず、図６（Ｄ）に示したように、第２の給気口８まで連通している断面積の小さい風路５が選択され、その風路５を通過した高速の風が浴室の壁面に吹きつけられる。次いで、図６（Ｅ）に示したように、第１の給気口７まで連通している断面積の大きい風路４に切り換えられ、その風路４を通過した低速の風が浴室の洗い場へ向けて吹き出される。そのため、浴室全体を効率良く迅速に乾燥させることができる。
【００４５】
また、第１の実施形態の浴室乾燥機では、図６（Ａ）および図６（Ｄ）に示したように、浴室外から第２の吸気口１１を介して取り入れられた低湿度の空気が断面積の小さい風路５を介して浴室の壁面に高速で吹きつけられるモードが設けられている。そのため、高湿度の浴室内の空気が循環せしめられ、断面積の大きい風路を介して浴室内に低速で吹き出される場合よりも、浴室内に干された衣類の表面を迅速に乾燥させることができ、浴室の壁面に結露して付着した水滴を迅速に乾燥させることができる。更に、浴室内に吹き出される高速の風によって、浴室内の空気を攪拌することができる。
【００４６】
以下、本発明の浴室乾燥機の第２の実施形態について説明する。第２の実施形態の浴室乾燥機は、後述する点を除き、上述した第１の実施形態の浴室乾燥機と同様に構成されている。従って、後述する点を除き、上述した第１の実施形態の浴室乾燥機とほぼ同様の効果を奏することができる。
【００４７】
上述した第１の実施形態の浴室乾燥機では、第２の給気口８および第２の給気口８まで連通している風路５に整流手段が配置されていないが、第２の実施形態の浴室乾燥機では、第２の給気口８および第２の給気口８まで連通している風路５に整流手段（図示せず）が配置される。それにより、第２の給気口８および第２の給気口８まで連通している風路５における圧力損失を低減することができる。
【００４８】
以下、本発明の浴室乾燥機の第３の実施形態について説明する。第３の実施形態の浴室乾燥機は、後述する点を除き、上述した第１の実施形態の浴室乾燥機と同様に構成されている。従って、後述する点を除き、上述した第１の実施形態の浴室乾燥機とほぼ同様の効果を奏することができる。
【００４９】
図７は第３の実施形態の浴室乾燥機の第２の給気口８’および第２の給気口８’まで連通している風路５’の断面図である。第３の実施形態の浴室乾燥機では、図７に示すように、第２の給気口８’および第２の給気口８’まで連通している風路５’の断面積が風の流れの下流側（図７の下側）になるほど緩やかに小さくなるように、第２の給気口８’および第２の給気口８’まで連通している風路５’が形成されている。そのため、第２の給気口８’から浴室の壁面に吹きつけられる風の速度を増加させつつ、第２の給気口８’および第２の給気口８’まで連通している風路５’における圧力損失を低減することができる。第３の実施形態の浴室乾燥機の変形例では、第２の給気口８’に可動ルーバーが設けられている。
【００５０】
以下、本発明の浴室乾燥機の第４の実施形態について説明する。第４の実施形態の浴室乾燥機は、後述する点を除き、上述した第１の実施形態の浴室乾燥機と同様に構成されている。従って、後述する点を除き、上述した第１の実施形態の浴室乾燥機とほぼ同様の効果を奏することができる。
【００５１】
上述した第１の実施形態の浴室乾燥機では、上述したように、浴室乾燥機内から浴室内へ風を吹き出すためのファン２と、浴室乾燥機内に吸い込まれた空気を浴室乾燥機外に排気するためのファン１とが単一のモータ３によって駆動される。そのため、図６（Ａ）および図６（Ｄ）に示したように、浴室乾燥機外への排気量を制御するためのダンパ１７，１８が全開されたまま、断面積の小さい風路５が選択されて風路の断面積が絞られてしまうと、浴室乾燥機内から浴室内へ吹き出される風量が圧力損失によって減少してしまうおそれがある。そこで、第４の実施形態の浴室乾燥機では、浴室内へ風を吹き出すための風路として断面積の小さい風路５が選択される場合には、浴室乾燥機内に吸い込まれた空気を浴室乾燥機外に排気するための排気口の断面積が連動して小さくされる。詳細には、ダンパ１７およびダンパ１８の合計の開弁量が減少せしめられる。それにより、浴室内へ吹き出される風量が減少してしまうのを抑制することができる。
【００５２】
以下、本発明の浴室乾燥機の第５の実施形態について説明する。図８は第５の実施形態の浴室乾燥機を説明するための図である。詳細には、図８（Ａ）は第５の実施形態の浴室乾燥機のグリルシートの展開図、図８（Ｂ）および図８（Ｃ）は第５の実施形態の浴室乾燥機の一部の断面図である。図８において、１０７は浴室乾燥機から浴室の洗い場へ向けて空気を吹き出すための第１の給気口、１０８は浴室乾燥機から浴室の壁面の上部または中央部へ空気を吹きつけるための第２の給気口である。１０９は第１の給気口１０７を介して浴室内へ吹き出される空気を加熱するためのヒータ、１１３はルーバーが形成されたフロントパネルである。１５０は巻回可能な弾性および耐熱性のあるグリルシートである。尚、グリルシートは、複数の開口を有するシートが切り換え可能なものであれば、巻回式でなくてもよい。１６０ａ，１６０ｂ，１６０ｃ，１６０ｄ，１６０ｅはグリルシート１５０に形成された開口、１５１は巻回されたグリルシート１５０を繰り出すための繰り出しローラ、１５２は繰り出されたグリルシート１５０を巻き取るための巻き取りローラである。図９は図８（Ｂ）および図８（Ｃ）に示したフロントパネル１１３を図８（Ｂ）および図８（Ｃ）の下側から見た図である。
【００５３】
上述した第１の実施形態の浴室乾燥機では、浴室乾燥機から浴室内に吹き出される風の速度を変更するために、風路４と風路５とがダンパ６によって切り換えて用いられ、浴室乾燥機から浴室内に吹き出される風の向きを変更するために、第１の給気口７と第２の給気口８とがダンパ６によって切り換えて用いられるが、第５の実施形態の浴室乾燥機では、浴室乾燥機から浴室内に吹き出される風の速度を変更するために、グリルシート１５０の開口１６０ａ，１６０ｂ，１６０ｃ，１６０ｄ，１６０ｅが切り換えて用いられ、浴室乾燥機から浴室内に吹き出される風の向きを変更するために、グリルシート１５０の開口１６０ａ，１６０ｂ，１６０ｃ，１６０ｄ，１６０ｅ並びに第１の給気口１０７および第２の給気口１０８が切り換えて用いられる。
【００５４】
詳細には、浴室全体に風を吹き出すことが要求される場合には、ローラ１５１，１５２によってグリルシート１５０が移動せしめられ、開口１６０ａ（図１（Ａ）（ｉ）参照）が第１の給気口１０７および第２の給気口１０８に対向して配置される。それにより、開口１６０ａを通過せしめられた空気の一部は、第１の給気口１０７を介して浴室の洗い場へ向けて吹き出される。また、開口１６０ａを通過せしめられた空気の一部は、第２の給気口１０８を介して浴室の壁面の上部または中央部に吹きつけられる。
【００５５】
更に、浴室の床に向かって風を吹き出すことが要求される場合には、ローラ１５１，１５２によってグリルシート１５０が移動せしめられ、図８（Ｂ）に示すように、開口１６０ｂ（図１（Ａ）（ｉｉ）参照）が第１の給気口１０７に対向して配置される。それにより、開口１６０ｂを通過せしめられた空気は、第１の給気口１０７を介して浴室の床に向かって吹き出される。
【００５６】
また、浴室の壁面に向かって風を吹き出すことが要求される場合には、ローラ１５１，１５２によってグリルシート１５０が移動せしめられ、図８（Ｃ）に示すように、開口１６０ｃ（図１（Ａ）（ｉｉｉ）参照）が第２の給気口１０８に対向して配置される。それにより、開口１６０ｃを通過せしめられた空気は、第２の給気口１０８を介して浴室の壁面の上部または中央部に吹きつけられる。
【００５７】
更に、浴室の床に向かって風を吹き出すことおよび浴室の壁面に向かって風を吹き出すことが要求される場合には、ローラ１５１，１５２によってグリルシート１５０が移動せしめられ、開口１６０ｄ（図１（Ａ）（ｉｖ）参照）が第１の給気口１０７および第２の給気口１０８に対向して配置される。それにより、開口１６０ｄを通過せしめられた空気の一部は、第１の給気口１０７を介して浴室の床に向かって吹き出される。また、開口１６０ｄを通過せしめられた空気の一部は、第２の給気口１０８を介して浴室の壁面の上部または中央部に吹きつけられる。
【００５８】
また、浴室内に干された衣類を乾燥させることが要求される場合には、ローラ１５１，１５２によってグリルシート１５０が移動せしめられ、開口１６０ｅ（図１（Ａ）（ｖ）参照）が第１の給気口１０７および第２の給気口１０８に対向して配置される。それにより、開口１６０ｅを通過せしめられた空気の一部は、第１の給気口１０７を介して衣類に向かって吹き出される。また、開口１６０ｅを通過せしめられた空気の一部は、第２の給気口１０８を介して浴室の壁面の上部または中央部に吹きつけられ、浴室内の空気が攪拌せしめられる。
【００５９】
更に、浴室内の空気を換気することが要求される場合には、ローラ１５１，１５２によってグリルシート１５０が移動せしめられ、開口１６０ａ，１６０ｂ，１６０ｃ，１６０ｄ，１６０ｅの存在しない部分（図１（Ａ）（ｖｉ）参照）が第１の給気口１０７および第２の給気口１０８に対向して配置される。それにより、浴室乾燥機から給気口１０７，１０８を介して浴室内に空気が供給されなくなる。
【００６０】
第５の実施形態の浴室乾燥機では、図８に示したように、複数の開口１６０ａ，１６０ｂ，１６０ｃ，１６０ｄ，１６０ｅを有するグリルシートをスクロールして移動させることにより、浴室内へ吹き出される風が通過せしめられる開口１６０ａ，１６０ｂ，１６０ｃ，１６０ｄ，１６０ｅが切り換えられる。そのため、風が通過せしめられる開口１６０ａ，１６０ｂ，１６０ｃ，１６０ｄ，１６０ｅを切り換えることにより、浴室内へ吹き出される風の向きおよび速度を変更することができる。詳細には、浴室内へ風を吹き出すための給気口１０７，１０８のグリル形状を変更する必要なく、浴室内へ吹き出される風の向きおよび速度を変更することができる。
【００６１】
詳細には、例えば断面積の小さい開口１６０ｃを選択し、浴室内へ吹き出される風の速度を増加させることにより、浴室の壁面に結露して付着した水滴を迅速に乾燥させることができる。更に、浴室内に吹き出される高速の風によって、浴室内の空気を攪拌することができる。
【００６２】
更に、図８に示したように、各開口１６０ａ，１６０ｂ，１６０ｃ，１６０ｄ，１６０ｅの面積は、給気口１０７，１０８の開口面積よりも小さく設定されている。開口１６０ａ，１６０ｂ，１６０ｃ，１６０ｄ，１６０ｅの切り換えは、例えば衣類乾燥時、予備暖房時、浴室乾燥時、換気時など多種の用途に応じて行われる。
【図面の簡単な説明】
【００６３】
【図１】浴室の天井に取付けられた本発明の浴室乾燥機の第１の実施形態を示した図である。
【図２】図１に示したフロントパネルを図１（Ｂ）のＡ−Ａ線で切断した断面図である。
【図３】第１の実施形態の浴室乾燥機が適用された浴室および脱衣室（脱衣所）の斜視図である。
【図４】図１に示した浴室乾燥機内の風路を模式的に示した図である。
【図５】第１の実施形態の浴室乾燥機の予備暖房モードと循環モードと換気モードとを示した図である。
【図６】第１の実施形態の浴室乾燥機の衣類乾燥モードと浴室乾燥モードとを示した図である。
【図７】第３の実施形態の浴室乾燥機の第２の給気口８’および第２の給気口８’まで連通している風路５’の断面図である。
【図８】第５の実施形態の浴室乾燥機を説明するための図である。
【図９】図８（Ｂ）および図８（Ｃ）に示したフロントパネル１１３を図８（Ｂ）および図８（Ｃ）の下側から見た図である。
【符号の説明】
【００６４】
１，２    ファン
３        モータ
４，５    風路
６        ダンパ
７        第１の給気口
８        第２の給気口
９        ヒータ
１０      第１の吸気口
１１      第２の吸気口
１２      排気口
１３      フロントパネル
【図１】
2005265203.tif 000003
【図２】
2005265203.tif 000004
【図３】
2005265203.tif 000005
【図４】
2005265203.tif 000006
【図５】
2005265203.tif 000007
【図６】
2005265203.tif 000008
【図７】
2005265203.tif 000009
【図８】
2005265203.tif 000010
【図９】
2005265203.tif 000011